(57)【要約】【課題】休止駆動を行う表示装置におけるフリッカーを抑制する。【解決手段】液晶表示装置では、フレーム期間は、走査フレーム期間と休止フレーム期間に分類される。パネル駆動回路は、走査フレーム期間内に設定された走査期間Ｔｓにおいて、液晶パネルの画素回路に対して映像信号に応じた電圧を書き込む。バックライト駆動回路は、走査フレーム期間内と休止フレーム期間内に設定されたバックライト点灯期間Ｔｏｎにおいてバックライトを点灯させ、それ以外においてバックライトを消灯させる。バックライト点灯期間Ｔｏｎは、走査フレーム期間において、走査期間Ｔｓよりも後、好ましくは、走査期間Ｔｓの終了時から画素回路の最長応答時間が経過した時点よりも後に設定される。【選択図】図２
2016133519.tif 000002
【特許請求の範囲】
【請求項１】
走査フレーム期間と休止フレーム期間とを有する表示装置であって、
２次元状に配置された複数の画素回路を含む表示パネルと、
前記表示パネルの背面に光を照射するバックライトと、
前記走査フレーム期間内に設定された走査期間において、前記画素回路に対して映像信号に応じた電圧を書き込むパネル駆動回路と、
前記走査フレーム期間内と前記休止フレーム期間内とに設定されたバックライト点灯期間において前記バックライトを点灯させ、前記バックライト点灯期間以外において前記バックライトを消灯させるバックライト駆動回路とを備え、
前記バックライト点灯期間は、前記走査フレーム期間において、前記走査期間よりも後に設定されていることを特徴とする、表示装置。
【請求項２】
前記バックライト点灯期間は、前記走査フレーム期間において、前記走査期間の終了時から前記画素回路の最長応答時間が経過した時点よりも後に設定されていることを特徴とする、請求項１に記載の表示装置。
【請求項３】
前記バックライト駆動回路は、臨界フリッカー周波数よりも高い周波数で前記バックライトを点灯および消灯させることを特徴とする、請求項２に記載の表示装置。
【請求項４】
重負荷時に電源変換効率が高い重負荷モードと、軽負荷時に電源変換効率が高い軽負荷モードとを有し、前記パネル駆動回路に電源電圧を供給する電源回路をさらに備え、
前記電源回路は、前記走査期間では前記重負荷モードで動作し、前記バックライト点灯期間では前記軽負荷モードで動作することを特徴とする、請求項２に記載の表示装置。
【請求項５】
前記電源回路は、前記走査期間が終了して所定時間経過後から前記バックライト点灯期間が開始するまでの期間では前記軽負荷モードで動作することを特徴とする、請求項４に記載の表示装置。
【請求項６】
前記走査フレーム期間だけが現れる動画モードと、前記走査フレーム期間と前記休止フレーム期間が混在して現れる低周波駆動モードとを有することを特徴とする、請求項２に記載の表示装置。
【請求項７】
前記表示パネルは、液晶パネルであることを特徴とする、請求項２に記載の表示装置。
【請求項８】
前記液晶パネルは、横電界方式の液晶パネルであることを特徴とする、請求項７に記載の表示装置。
【請求項９】
前記液晶パネルは、それぞれがトランジスタを含む複数の画素回路を含み、
前記トランジスタは、インジウム、ガリウム、および、亜鉛を含む酸化物半導体を用いて形成された半導体層を有することを特徴とする、請求項８に記載の表示装置。
【請求項１０】
前記表示パネルは、それぞれがトランジスタを含む複数の画素回路を含み、
前記トランジスタは、インジウム、ガリウム、および、亜鉛を含む酸化物半導体を用いて形成された半導体層を有することを特徴とする、請求項２に記載の表示装置。
【請求項１１】
２次元状に配置された複数の画素回路を含む表示パネルと、前記表示パネルの背面に光を照射するバックライトとを含み、走査フレーム期間と休止フレーム期間とを有する表示装置の制御方法であって、
前記走査フレーム期間内に設定された走査期間において、前記画素回路に対して映像信号に応じた電圧を書き込むステップと、
前記走査フレーム期間内と前記休止フレーム期間内とに設定されたバックライト点灯期間において前記バックライトを点灯させ、前記バックライト点灯期間以外において前記バックライトを消灯させるステップとを備え、
前記バックライト点灯期間は、前記走査フレーム期間において、前記走査期間よりも後に設定されていることを特徴とする、表示装置の制御方法。
【請求項１２】
前記バックライト点灯期間は、前記走査フレーム期間において、前記走査期間の終了時から前記画素回路の最長応答時間が経過した時点よりも後に設定されていることを特徴とする、請求項１１に記載の表示装置の制御方法。
【請求項１３】
前記バックライトを点灯および消灯させるステップは、臨界フリッカー周波数よりも高い周波数で前記バックライトを点灯および消灯させることを特徴とする、請求項１２に記載の表示装置の制御方法。
【請求項１４】
前記表示装置は、重負荷時に電源変換効率が高い重負荷モードと、軽負荷時に電源変換効率が高い軽負荷モードとを有し、前記パネル駆動回路に電源電圧を供給する電源回路をさらに含み、
前記電源回路を前記走査期間では前記重負荷モードで動作させ、前記バックライト点灯期間では前記軽負荷モードで動作させるステップをさらに備えた、請求項１２に記載の表示装置の制御方法。
【請求項１５】
前記電源回路を動作させるステップは、前記走査期間が終了して所定時間経過後から前記バックライト点灯期間が開始するまでの期間では前記電源回路を前記軽負荷モードで動作させることを特徴とする、請求項１４に記載の表示装置の制御方法。
【請求項１６】
前記表示装置は、前記走査フレーム期間だけが現れる動画モードと、前記走査フレーム期間と前記休止フレーム期間が混在して現れる低周波駆動モードとを有することを特徴とする、請求項１２に記載の表示装置の制御方法。
【請求項１７】
前記表示パネルは、液晶パネルであることを特徴とする、請求項１２に記載の表示装置の制御方法。
【請求項１８】
前記液晶パネルは、横電界方式の液晶パネルであることを特徴とする、請求項１７に記載の表示装置の制御方法。
【請求項１９】
前記液晶パネルは、それぞれがトランジスタを含む複数の画素回路を含み、
前記トランジスタは、インジウム、ガリウム、および、亜鉛を含む酸化物半導体を用いて形成された半導体層を有することを特徴とする、請求項１８に記載の表示装置の制御方法。
【請求項２０】
前記表示パネルは、それぞれがトランジスタを含む複数の画素回路を含み、
前記トランジスタは、インジウム、ガリウム、および、亜鉛を含む酸化物半導体を用いて形成された半導体層を有することを特徴とする、請求項１２に記載の表示装置の制御方法。
【発明の詳細な説明】
【技術分野】
【０００１】
本発明は、液晶表示装置などの表示装置に関し、特に、表示パネルの駆動を休止する機能を有する表示装置、および、その制御方法に関する。
【背景技術】
【０００２】
従来の典型的な表示装置では、表示パネルは、６０Ｈｚのフレーム周波数で駆動される。表示装置の消費電力は、表示パネルを駆動する回数が多いほど増加する。そこで、表示装置の消費電力を削減する方法として、同じ画像を続けて表示するときに表示パネルの駆動を休止する方法が知られている。この方法は、休止駆動、低周波駆動、間欠駆動などと呼ばれる。
【０００３】
休止駆動を行う表示装置では、表示画面にフリッカー（ちらつき）が発生することが問題になる。図１０は、人間のフリッカー感度を示す図である。図１０に示すように、人間は、フリッカー周波数が高いときにはフリッカーをほとんど認識しないが、フリッカー周波数があるレベルＦｃ（臨界フリッカー周波数と呼ばれる）以下になるとフリッカーを認識する。臨界フリッカー周波数Ｆｃは、個人や体調などによって異なるが、約４０〜４５Ｈｚである。このため、休止駆動を行う表示装置において、表示パネルを４５Ｈｚよりも低い周波数で駆動すると、表示画面にフリッカーが発生し、表示品位が低下する。
【０００４】
以下、休止駆動を行う液晶表示装置について検討する。液晶表示装置は、データ線駆動回路の出力電圧の振幅を小さくするために、共通電極に印加する電圧の極性をフレーム期間ごとに反転させるコモン反転駆動を行うことがある。しかし、コモン反転駆動を行うと、フリッカーが発生しやすくなる。このため、近年では、フリッカーを抑制するために、コモン反転駆動に代えて、共通電極に固定電圧を印加するコモン直流駆動を行う液晶表示装置が増加している。
【０００５】
また、フリッカーを抑制する方法として、液晶表示装置に含まれる画素回路をオフリーク特性の良い（オフ時のリーク電流が少ない）トランジスタを用いて構成する方法が知られている。例えば、画素回路に含まれるトランジスタとして、半導体層を酸化物半導体で形成したトランジスタを用いることができる。酸化物半導体には、例えば、インジウム（Ｉｎ）、ガリウム（Ｇａ）、亜鉛（Ｚｎ）を含むインジウムガリウム亜鉛酸化物（ＩｎＧａＺｎＯ）を用いることができる。この方法によれば、画素回路に書き込まれた電圧を長時間に亘って安定的に保持し、フリッカーを抑制することができる。
【０００６】
本願発明に関連して、特許文献１には、走査期間と保持期間とからなるフレーム期間に同期して、バックライトを１／６０秒以下の間隔で点滅させる液晶表示装置が記載されている。特許文献１には、対向電極電位を切り替えてから画素の輝度がフリッカーとして問題になるレベルに到達するまでの遅延時間（液晶の応答時間）を考慮して、バックライトの点灯タイミングを決定することも記載されている。特許文献２には、動画残像を低減するために、１画面分の映像信号の書き込み時間と液晶応答時間においてバックライトを消灯させ、次の１画面分の映像信号の書き込みを開始するまでの時間においてバックライトを点灯させる液晶表示装置が記載されている。
【先行技術文献】
【特許文献】
【０００７】
【特許文献１】特開２００６−１７８４３５号公報
【特許文献２】特開２０００−５６７３８号公報
【発明の概要】
【発明が解決しようとする課題】
【０００８】
液晶表示装置に対して上記従来のフリッカー抑制方法を適用することにより、フリッカーをある程度小さくすることができる。しかしながら、休止駆動を行う液晶表示装置に従来のフリッカー抑制方法を適用しても、フリッカーを完全に抑制することはできない。このときに発生するフリッカーは、画素回路に電圧を書き込むときのフレクソ分極の影響によると考えられる。休止駆動を行う従来の液晶表示装置では、画素回路に電圧を書き込むことに起因するフリッカーを抑制することができない。
【０００９】
フレクソ分極は、横電界方式の液晶パネルで発生しやすい。横電界方式の液晶パネルでは、アクティブマトリクス基板上に形成された画素電極と共通電極を用いて、液晶層に概ね横方向の電界が印加される。横電界方式としては、ＩＰＳ（In-Plane Switching）方式や、ＦＦＳ（Fringe Field Switching）方式が知られている。また、ＦＦＳ方式を改良した方式として、ＡＦＦＳ（Advanced Fringe Field Switching ）方式が知られている。横電界方式の液晶パネルは、視野角が広いという利点を有する一方、フレクソ分極が発生しやすいという問題を有する。このため、横電界方式の液晶パネルを用いて休止駆動を行う液晶表示装置を構成した場合、画素回路に電圧を書き込むことに起因するフリッカーが発生しやい。
【００１０】
それ故に、本発明は、休止駆動を行う表示装置におけるフリッカーを抑制することを目的とする。
【課題を解決するための手段】
【００１１】
第１の発明は、走査フレーム期間と休止フレーム期間とを有する表示装置であって、
２次元状に配置された複数の画素回路を含む表示パネルと、
前記表示パネルの背面に光を照射するバックライトと、
前記走査フレーム期間内に設定された走査期間において、前記画素回路に対して映像信号に応じた電圧を書き込むパネル駆動回路と、
前記走査フレーム期間内と前記休止フレーム期間内とに設定されたバックライト点灯期間において前記バックライトを点灯させ、前記バックライト点灯期間以外において前記バックライトを消灯させるバックライト駆動回路とを備え、
前記バックライト点灯期間は、前記走査フレーム期間において、前記走査期間よりも後に設定されていることを特徴とする。
【００１２】
第２の発明は、第１の発明において、
前記バックライト点灯期間は、前記走査フレーム期間において、前記走査期間の終了時から前記画素回路の最長応答時間が経過した時点よりも後に設定されていることを特徴とする。
【００１３】
第３の発明は、第２の発明において、
前記バックライト駆動回路は、臨界フリッカー周波数よりも高い周波数で前記バックライトを点灯および消灯させることを特徴とする。
【００１４】
第４の発明は、第２の発明において、
重負荷時に電源変換効率が高い重負荷モードと、軽負荷時に電源変換効率が高い軽負荷モードとを有し、前記パネル駆動回路に電源電圧を供給する電源回路をさらに備え、
前記電源回路は、前記走査期間では前記重負荷モードで動作し、前記バックライト点灯期間では前記軽負荷モードで動作することを特徴とする。
【００１５】
第５の発明は、第４の発明において、
前記電源回路は、前記走査期間が終了して所定時間経過後から前記バックライト点灯期間が開始するまでの期間では前記軽負荷モードで動作することを特徴とする。
【００１６】
第６の発明は、第２の発明において、
前記走査フレーム期間だけが現れる動画モードと、前記走査フレーム期間と前記休止フレーム期間が混在して現れる低周波駆動モードとを有することを特徴とする。
【００１７】
第７の発明は、第２の発明において、
前記表示パネルは、液晶パネルであることを特徴とする。
【００１８】
第８の発明は、第７の発明において、
前記液晶パネルは、横電界方式の液晶パネルであることを特徴とする。
【００１９】
第９の発明は、第８の発明において、
前記液晶パネルは、それぞれがトランジスタを含む複数の画素回路を含み、
前記トランジスタは、インジウム、ガリウム、および、亜鉛を含む酸化物半導体を用いて形成された半導体層を有することを特徴とする。
【００２０】
第１０の発明は、第２の発明において、
前記表示パネルは、それぞれがトランジスタを含む複数の画素回路を含み、
前記トランジスタは、インジウム、ガリウム、および、亜鉛を含む酸化物半導体を用いて形成された半導体層を有することを特徴とする。
【００２１】
第１１の発明は、２次元状に配置された複数の画素回路を含む表示パネルと、前記表示パネルの背面に光を照射するバックライトとを含み、走査フレーム期間と休止フレーム期間とを有する表示装置の制御方法であって、
前記走査フレーム期間内に設定された走査期間において、前記画素回路に対して映像信号に応じた電圧を書き込むステップと、
前記走査フレーム期間内と前記休止フレーム期間内とに設定されたバックライト点灯期間において前記バックライトを点灯させ、前記バックライト点灯期間以外において前記バックライトを消灯させるステップとを備え、
前記バックライト点灯期間は、前記走査フレーム期間において、前記走査期間よりも後に設定されていることを特徴とする。
【００２２】
第１２の発明は、第１１の発明において、
前記バックライト点灯期間は、前記走査フレーム期間において、前記走査期間の終了時から前記画素回路の最長応答時間が経過した時点よりも後に設定されていることを特徴とする。
【００２３】
第１３の発明は、第１２の発明において、
前記バックライトを点灯および消灯させるステップは、臨界フリッカー周波数よりも高い周波数で前記バックライトを点灯および消灯させることを特徴とする。
【００２４】
第１４の発明は、第１２の発明において、
前記表示装置は、重負荷時に電源変換効率が高い重負荷モードと、軽負荷時に電源変換効率が高い軽負荷モードとを有し、前記パネル駆動回路に電源電圧を供給する電源回路をさらに含み、
前記電源回路を前記走査期間では前記重負荷モードで動作させ、前記バックライト点灯期間では前記軽負荷モードで動作させるステップをさらに備える。
【００２５】
第１５の発明は、第１４の発明において、
前記電源回路を動作させるステップは、前記走査期間が終了して所定時間経過後から前記バックライト点灯期間が開始するまでの期間では前記電源回路を前記軽負荷モードで動作させることを特徴とする。
【００２６】
第１６の発明は、第１２の発明において、
前記表示装置は、前記走査フレーム期間だけが現れる動画モードと、前記走査フレーム期間と前記休止フレーム期間が混在して現れる低周波駆動モードとを有することを特徴とする。
【００２７】
第１７の発明は、第１２の発明において、
前記表示パネルは、液晶パネルであることを特徴とする。
【００２８】
第１８の発明は、第１７の発明において、
前記液晶パネルは、横電界方式の液晶パネルであることを特徴とする。
【００２９】
第１９の発明は、第１８の発明において、
前記液晶パネルは、それぞれがトランジスタを含む複数の画素回路を含み、
前記トランジスタは、インジウム、ガリウム、および、亜鉛を含む酸化物半導体を用いて形成された半導体層を有することを特徴とする。
【００３０】
第２０の発明は、第１２の発明において、
前記表示パネルは、それぞれがトランジスタを含む複数の画素回路を含み、
前記トランジスタは、インジウム、ガリウム、および、亜鉛を含む酸化物半導体を用いて形成された半導体層を有することを特徴とする。
【発明の効果】
【００３１】
上記第１または第１１の発明によれば、バックライトは、走査フレーム期間において、走査期間では消灯し、走査期間よりも後のバックライト点灯期間では点灯する。このように画素回路に電圧を書き込むときにバックライトを消灯させることにより、画素回路に電圧を書き込むことに起因する、フレクソ分極の影響によると考えられるフリッカーを抑制することができる。
【００３２】
上記第２または第１２の発明によれば、バックライトは、走査フレーム期間において、走査期間の終了後も画素回路の応答が完了するまで引き続き消灯する。このように画素回路に電圧を書き込んだ後も、画素回路の応答が完了するまでバックライトを消灯させることにより、前フレームの画像の影響を受けずに画像を表示することができる。
【００３３】
上記第３または第１３の発明によれば、バックライトは、臨界フリッカー周波数よりも高い周波数で点灯および消灯する。したがって、バックライトの点滅に起因するフリッカーを抑制することができる。
【００３４】
上記第４または第１４の発明によれば、パネル駆動回路の動作状況に応じて電源回路の動作モードを重負荷モードと低負荷モードに切り替えることにより、表示装置の消費電力を削減することができる。また、電源回路が重負荷モードで動作する期間とバックライトの点灯期間とが重ならないので、ピーク電流を抑制することができる。したがって、電源回路とバックライト駆動回路に接続されるシステム電源回路を小型化し、システム電源回路に接続されるバッテリーの劣化を防止することができる。
【００３５】
上記第５または第１５の発明によれば、走査フレーム期間において、走査期間の終了からバックライト点灯期間までの期間で電源回路が軽負荷モードで動作することにより、表示装置の消費電力をさらに削減することができる。
【００３６】
上記第６または第１６の発明によれば、画像の変化が大きいときには動画モードで動作し、画像の変化が小さいときには低周波駆動モードで動作する表示装置において、フレクソ分極の影響によると考えられるフリッカーを抑制し、前フレームの画像の影響を受けずに画像を表示することができる。
【００３７】
上記第７または第１７の発明によれば、休止駆動を行う液晶表示装置において、フレクソ分極の影響によると考えられるフリッカーを抑制し、前フレームの画像の影響を受けずに画像を表示することができる。
【００３８】
上記第８または第１８の発明によれば、フレクソ分極が発生しやすい横電界方式の液晶パネルを備え、休止駆動を行う液晶表示装置において、フレクソ分極の影響によると考えられるフリッカーを抑制し、前フレームの画像の影響を受けずに画像を表示することができる。
【００３９】
上記第９または第１９の発明によれば、インジウム、ガリウム、および、亜鉛を含む酸化物半導体を用いて形成された半導体層を有するトランジスタを画素回路内に設けることにより、トランジスタのリーク電流によるフリッカーを抑制することができる。
【００４０】
上記第１０または第２０の発明によれば、フレクソ分極が発生しやすい横電界方式の液晶パネルを備え、休止駆動を行う液晶表示装置において、インジウム、ガリウム、および、亜鉛を含む酸化物半導体を用いて形成された半導体層を有するトランジスタを画素回路内に設けることにより、フレクソ分極の影響によると考えられるフリッカーとトランジスタのリーク電流によるフリッカーとを抑制し、前フレームの画像の影響を受けずに画像を表示することができる。
【図面の簡単な説明】
【００４１】
【図１】本発明の実施形態に係る液晶表示装置の構成を示すブロック図である。
【図２】図１に示す液晶表示装置の低周波駆動モードのタイミングチャートである。
【図３】図１に示す液晶表示装置の動画モードのタイミングチャートである。
【図４】図１に示す液晶表示装置において低周波駆動モードで表示色が変化するときのタイミングチャートである。
【図５】図１に示す液晶表示装置において低周波駆動モードから動画モードに変化するときのタイミングチャートである。
【図６】図４に示すバックライト点灯期間における表示画面を示す図である。
【図７】図５に示すバックライト点灯期間における表示画面を示す図である。
【図８】比較例に係る液晶表示装置において表示色が変化するときのタイミングチャートである。
【図９】図８に示すバックライト点灯期間における表示画面を示す図である。
【図１０】人間のフリッカー感度を示す図である。
【発明を実施するための形態】
【００４２】
図１は、本発明の実施形態に係る液晶表示装置の構成を示すブロック図である。図１に示す液晶表示装置１０は、液晶パネル１１、バックライト１２、表示制御回路１３、電源回路１４、走査線駆動回路１５、データ線駆動回路１６、および、バックライト駆動回路１７を備えている。液晶表示装置１０は、例えば、外部に配置されたバッテリー５およびシステム電源回路６を電源として動作する。以下、ｍおよびｎは２以上の整数、ｉは１以上ｎ以下の整数、ｊは１以上ｍ以下の整数であるとする。
【００４３】
液晶パネル１１は、ｎ本の走査線Ｇ１〜Ｇｎ、ｍ本のデータ線Ｓ１〜Ｓｍ、および、（ｍ×ｎ）個の画素回路２０を含んでいる。走査線Ｇ１〜Ｇｎは、互いに平行に配置される。データ線Ｓ１〜Ｓｍは、走査線Ｇ１〜Ｇｎと直交するように互いに平行に配置される。走査線Ｇ１〜Ｇｎとデータ線Ｓ１〜Ｓｍは、（ｍ×ｎ）箇所で交差する。（ｍ×ｎ）個の画素回路２０は、走査線Ｇ１〜Ｇｎとデータ線Ｓ１〜Ｓｍの交点に対応して２次元状に配置される。
【００４４】
液晶パネル１１のモードや方式は任意である。例えば、液晶パネル１１は、縦電界方式および横電界方式のいずれでもよい。また、横電界方式は、ＩＰＳ方式、ＦＦＳ方式、および、ＡＦＦＳ方式のいずれでもよい。横電界方式の液晶パネルは、視野角が広いという利点を有する一方、フレクソ分極が発生しやすいという問題を有する。液晶パネル１１として横電界方式の液晶パネルを用いた場合、後述する効果が顕著になる。
【００４５】
画素回路２０は、薄膜トランジスタ（Thin Film Transistor：以下、ＴＦＴという）２１と液晶容量２２を含んでいる。ＴＦＴ２１は、Ｎチャネル型のトランジスタである。ｉ行ｊ列目の画素回路２０において、ＴＦＴ２１のゲート端子は走査線Ｇｉに接続され、ＴＦＴ２１のソース端子はデータ線Ｓｊに接続され、ＴＦＴ２１のドレイン端子は液晶容量２２の一方の電極に接続される。液晶容量２２の他方の電極は、すべての画素回路２０に共通する共通電極２３に接続される。このように画素回路２０は、１本の走査線と１本のデータ線に接続される。なお、画素回路２０は、液晶容量２２と並列に補助容量を含んでいてもよい。
【００４６】
ＴＦＴ２１には、オフリーク特性の良いトランジスタを用いることが好ましい。例えば、ＴＦＴ２１として、半導体層を酸化物半導体で形成したトランジスタを用いてもよい。酸化物半導体には、例えば、インジウム（Ｉｎ）、ガリウム（Ｇａ）、亜鉛（Ｚｎ）を含むインジウムガリウム亜鉛酸化物（ＩｎＧａＺｎＯ）を用いてもよい。インジウム、ガリウム、および、亜鉛を含む酸化物半導体を用いて形成された半導体層を有するＴＦＴ２１を画素回路２０内に設けることにより、トランジスタのリーク電流によるフリッカーを抑制することができる。
【００４７】
バックライト１２は、液晶パネル１１の背面側に設けられ、液晶パネル１１の背面に光を照射する。後述するように、バックライト１２は、１フレーム期間に１回、所定時間だけ発光する。バックライト１２には、例えば、２次元状に配置された複数の発光ダイオード（Light Emitting Diode：以下、ＬＥＤという）を含む直下型バックライトが使用される。ＬＥＤを用いることにより、フレーム期間内に点灯および消灯するバックライト１２を構成することができる。
【００４８】
表示制御回路１３は、液晶表示装置１０の制御回路である。液晶表示装置１０の外部から表示制御回路１３には、映像信号ＶＳ１が入力される。表示制御回路１３は、映像信号ＶＳ１に基づき、電源回路１４に対して制御信号Ｃ０を出力し、走査線駆動回路１５に対して制御信号Ｃ１を出力し、データ線駆動回路１６に対して制御信号Ｃ２と映像信号ＶＳ２を出力し、バックライト駆動回路１７に対して制御信号Ｃ３を出力する。また、表示制御回路１３は、共通電極２３に対して固定の共通電極電圧Ｖｃｏｍを印加する。
【００４９】
バッテリー５からシステム電源回路６には、所定の電源電圧が供給される。システム電源回路６は、バッテリー５から供給された電源電圧に基づき、電源回路１４に対して電源電圧ＶＰＷ０を供給し、バックライト駆動回路１７に対して電源電圧ＶＢＬを供給する。
【００５０】
電源回路１４は、システム電源回路６から供給された電源電圧ＶＰＷ０を、表示制御回路１３に供給する電源電圧ＶＰＷ１と走査線駆動回路１５に供給する電源電圧ＶＰＷ２とデータ線駆動回路１６に供給する電源電圧ＶＰＷ３とに変換するＤＣ／ＤＣ変換器である。電源電圧ＶＰＷ２には、ＴＦＴ２１がオンする走査オン電圧と、ＴＦＴ２１がオフする走査オフ電圧とが含まれる。電源回路１４は、動作モードとして、重負荷時に電源変換効率が高い重負荷モードと、軽負荷時に電源変換効率が高い軽負荷モードとを有する。電源回路１４に供給される制御信号Ｃ０は、重負荷モードを示すハイレベルと、軽負荷モードを示すローレベルとに切り替わる。電源回路１４は、制御信号Ｃ０がハイレベルのときには重負荷モードで動作し、重負荷時に電源変換効率が高い方法を用いて電圧変換を行う。制御信号Ｃ０がローレベルのときには、電源回路１４は、軽負荷モードで動作し、軽負荷時に電源変換効率が高い方法を用いて電圧変換を行う。液晶表示装置１０の消費電力は、軽負荷モードでは重負荷モードよりも少なくなる。
【００５１】
走査線駆動回路１５は、制御信号Ｃ１に基づき、走査線Ｇ１〜Ｇｎを駆動する。より詳細には、走査線駆動回路１５は、制御信号Ｃ１に基づき、走査線Ｇ１〜Ｇｎの中から１本の走査線を順に選択し、選択した走査線に１水平期間に亘って選択電圧（ここでは、ハイレベル電圧）を印加する。これにより、選択された走査線に接続されたｍ個の画素回路２０が一括して選択される。
【００５２】
データ線駆動回路１６は、制御信号Ｃ２と映像信号ＶＳ２に基づき、データ線Ｓ１〜Ｓｍを駆動する。より詳細には、データ線駆動回路１６は、制御信号Ｃ２に基づき、データ線Ｓ１〜Ｓｍに対して、映像信号ＶＳ２に応じたｍ個の電圧（以下、データ電圧という）を１水平期間に亘ってそれぞれ印加する。これにより、選択されたｍ個の画素回路２０にｍ個のデータ電圧がそれぞれ書き込まれる。画素回路２０の透過率は、画素回路２０に書き込まれたデータ電圧に応じて変化する。
【００５３】
バックライト駆動回路１７は、制御信号Ｃ３とシステム電源回路６から供給された電源電圧ＶＢＬとに基づき、バックライト１２を駆動する。バックライト駆動回路１７に供給される制御信号Ｃ３は、バックライト点灯を示すハイレベルと、バックライト消灯を示すローレベルとに切り替わる。制御信号Ｃ３は、バックライト点灯期間Ｔｏｎ（詳細は後述）においてハイレベルになる。バックライト駆動回路１７は、制御信号Ｃ３がハイレベルのときにはバックライト１２を点灯させ、制御信号Ｃ３がローレベルのときにはバックライト１２を消灯させる。ＬＥＤを含むバックライト１２を用いることにより、バックライト１２の点灯と消灯を容易に切り替えることができる。
【００５４】
液晶表示装置１０では、休止駆動を行うために、フレーム期間は、液晶パネル１１を駆動する走査フレーム期間と、液晶パネル１１を駆動しない休止フレーム期間とに分類される。また、液晶表示装置１０は、走査フレーム期間だけが現れる動画モードと、走査フレーム期間と休止フレーム期間が混在して現れる低周波駆動モードとを有し、画像の動きが大きいときには動画モードに、画像の動きが小さいときには低周波駆動モードに切り替えられる。表示制御回路１３に供給される映像信号ＶＳ１には、現フレームの画像が前フレームの画像から変化したか否かを示すフラグが含まれる。表示制御回路１３は、このフラグと予め定められた周期とに基づき、フレーム期間が走査フレーム期間か休止フレーム期間かを判断する。なお、表示制御回路１３は、他の方法を用いて、フレーム期間が走査フレーム期間か休止フレーム期間かを判断してもよい。
【００５５】
また、表示制御回路１３は、上記以外の方法を用いて、動画モードか低周波駆動モードかを判断してもよい。スマートフォンやタブレットＰＣなどのバッテリー駆動のモバイル機器では、用途や使用シーンに応じて動画表示と静止画表示が切り替えて行われる。例えば、映画を再生するときなどには動画表示が行われ、メールやウェブサイトや写真を閲覧するときなどには静止画表示が行われる。動画表示のときには動画モードで動作し、静止画表示のときには低周波駆動モードで動作することにより、液晶表示装置１０の消費電力を削減し、バッテリーによる稼働時間を大幅に伸ばすことができる。
【００５６】
走査フレーム期間において、表示制御回路１３は、制御信号Ｃ１、Ｃ２を所定のタイミングで活性レベルと非活性レベル（ハイレベルとローレベル）に切り替える。走査フレーム期間では、走査線駆動回路１５は制御信号Ｃ１に基づき走査線Ｇ１〜Ｇｎを駆動し、データ線駆動回路１６は制御信号Ｃ２に基づきデータ線Ｓ１〜Ｓｍを駆動する。休止フレーム期間において、表示制御回路１３は、制御信号Ｃ１、Ｃ２を非活性レベル（ローレベル）に固定する。休止フレーム期間では、走査線駆動回路１５は走査線Ｇ１〜Ｇｎを駆動せず、データ線駆動回路１６はデータ線Ｓ１〜Ｓｍを駆動しない。
【００５７】
このように走査線駆動回路１５とデータ線駆動回路１６は、走査フレーム期間内に設定された走査期間Ｔｓにおいて、液晶パネル１１に含まれる画素回路２０に対して映像信号ＶＳ２に応じた電圧を書き込むパネル駆動回路として機能する。バックライト駆動回路１７は、走査フレーム期間内と休止フレーム期間内とに設定されたバックライト点灯期間Ｔｏｎにおいてバックライト１２を点灯させ、バックライト点灯期間Ｔｏｎ以外においてバックライト１２を消灯させる。なお、パネル駆動回路の全部または一部を画素回路２０と共に液晶パネル１１上に一体に形成してもよく、パネル駆動回路を内蔵した複数の半導体チップを液晶パネル１１上に実装してもよい。
【００５８】
図２および図３は、液晶表示装置１０のタイミングチャートである。図２には、低周波駆動モードのタイミングが記載されている。図３には、動画モードのタイミングが記載されている。図２および図３において、ＶＳＹＮＣは、映像信号ＶＳ１に含まれる垂直同期信号を表す。
【００５９】
図２および図３に示すように、走査フレーム期間には走査期間Ｔｓが設定され、走査フレーム期間と休止フレーム期間の終了前にはバックライト点灯期間Ｔｏｎが設定される。表示制御回路１３は、走査期間Ｔｓを含む走査フレーム期間の前半部ではハイレベルの制御信号Ｃ０を出力し、それ以外ではローレベルの制御信号Ｃ０を出力する。電源回路１４は、走査フレーム期間の前半部では重負荷モードで動作し、それ以外では軽負荷モードで動作する。このように電源回路１４は、走査期間Ｔｓでは重負荷モードで動作し、バックライト点灯期間Ｔｏｎでは軽負荷モードで動作する。また、電源回路１４は、走査期間Ｔｓが終了して所定時間経過後からバックライト点灯期間Ｔｏｎが開始するまでの期間では軽負荷モードで動作する。パネル駆動回路の消費電力は、走査フレーム期間の前半部では多く、それ以外では少なくなる。このため、低周波駆動モードにおけるパネル駆動回路の平均消費電力（図２に示すＰＷ１）は、動画モードにおけるパネル駆動回路の平均消費電力（図３に示すＰＷ２）よりも少なくなる。
【００６０】
走査期間Ｔｓには、ｎ個の水平期間が設定される。ｉ番目の水平期間では、走査線Ｇｉの電圧はハイレベルになる。このとき、走査線Ｇｉとデータ線Ｓｊに接続された画素回路２０では、ＴＦＴ２１がオン状態になり、データ線Ｓｊに印加されたデータ電圧が書き込まれる。
【００６１】
バックライト１２は、１フレーム期間に１回、バックライト点灯期間Ｔｏｎにおいて点灯する。バックライト点灯期間Ｔｏｎは、走査フレーム期間において、走査期間Ｔｓよりも後に設定される。より好ましくは、バックライト点灯期間Ｔｏｎは、走査フレーム期間において、走査期間Ｔｓの終了時から画素回路２０の最長応答時間が経過した時点よりも後に設定される。休止フレーム期間におけるバックライト点灯期間Ｔｏｎの位置は、走査フレーム期間における位置と同じである。
【００６２】
ここで、画素回路の最長応答時間とは、画素回路に電圧を書き込んでから、画素回路の状態（ここでは、透過率）が書き込んだ電圧に対応した状態に十分に近づくまで時間のうち最長の時間をいう。例えば、表示画面が黒から白に変化するまでの時間と表示画面が白から黒に変化するまでの時間とを測定し、２個の測定値のうち大きいほうの値を、画素回路の最長応答時間として用いてもよい。また、他の方法を用いて、画素回路の最長応答時間を決定してもよい。また、液晶表示装置１０は、液晶の応答時間を短くするために、オーバードライブ駆動を行ってもよい。この場合には、オーバードライブ駆動を行った状態で画素回路の状態が変化するまでの時間を測定し、画素回路の最長応答時間を決定すればよい。
【００６３】
液晶表示装置１０において、長さが画素回路２０の最長応答時間に等しい期間を画素応答期間Ｔｒｅｓという。液晶表示装置１０では、走査期間Ｔｓの直後に画素応答期間Ｔｒｅｓが設定され、バックライト点灯期間Ｔｏｎは画素応答期間Ｔｒｅｓの直後に設定される。バックライト１２は、走査フレーム期間において、走査期間Ｔｓと画素応答期間Ｔｒｅｓでは消灯し、バックライト点灯期間Ｔｏｎでは点灯する。
【００６４】
以下、走査期間Ｔｓ、画素応答期間Ｔｒｅｓ、および、バックライト点灯期間Ｔｏｎの長さを、同じ記号を用いて、それぞれ、Ｔｓ、Ｔｒｅｓ、および、Ｔｏｎと表す。また、バックライト１２の点灯周期をＴｘ、バックライト１２の点灯周波数をＦｘ（＝１／Ｔｘ）、臨界フリッカー周波数をＦｃとする。液晶表示装置１０では、走査期間Ｔｓ、画素応答期間Ｔｒｅｓ、および、バックライト点灯期間Ｔｏｎの長さは、Ｔｓ＋Ｔｒｅｓ＋Ｔｏｎ≦Ｔｘ、および、Ｆｘ＞Ｆｃを満たすように決定される。特に、Ｔｓ＋Ｔｒｅｓ＋Ｔｏｎ＝Ｔｘを満たすことが好ましい。Ｆｘ＞Ｆｃを満たすので、バックライト駆動回路１７は、臨界フリッカー周波数Ｆｃよりも高い周波数でバックライト１２を点灯および消灯させる。このとき人間は、フリッカーをほとんど認識しない。
【００６５】
例えば、Ｔｓ＝８．３ｍｓ、Ｔｒｅｓ＝１０．５ｍｓ、Ｔｏｎ＝２ｍｓ、Ｔｓ＋Ｔｒｅｓ＋Ｔｏｎ＝Ｔｘであるとする。この場合、Ｔｘは２０．８ｍｓ、Ｆｘは約４８Ｈｚであるので、バックライト１２の点灯周波数Ｆｘは臨界フリッカー周波数Ｆｃよりも大きい。したがって、Ｔｓ、Ｔｒｅｓ、Ｔｏｎの値を上記のように決定した場合、人間はフリッカーをほとんど認識しない。
【００６６】
図４および図５は、液晶表示装置１０のタイミングチャートである。図４および図５において、ＴＲｉはｉ行目の画素回路２０の透過率を表し、ＬＵｉはｉ行目の画素回路２０の輝度を表す。なお、図４および図５では、走査フレーム期間の後に３個の休止フレーム期間が現れることとした。
【００６７】
図４には、低周波駆動モードにおいて中間調表示の後に白表示を行うときのタイミングが記載されている。図４において、第１および第５フレーム期間は走査フレーム期間であり、第２〜第４および第６〜第８フレーム期間は休止フレーム期間である。以下、共通電極電圧Ｖｃｏｍよりも高い場合を「正極性」、共通電極電圧Ｖｃｏｍよりも低い場合を「負極性」という。
【００６８】
データ線Ｓｊには、第１〜第４フレーム期間では白に対応した負極性のデータ電圧が印加され、第５〜第８フレーム期間では白に対応した正極性のデータ電圧が印加される。第１フレーム期間の走査期間Ｔｓでは、各行の画素回路２０に対して、白に対応した負極性のデータ電圧が順に書き込まれる。これに伴い、各行の画素回路２０の透過率ＴＲ１〜ＴＲｎは、白に対応したレベルに向けて変化する。
【００６９】
バックライト点灯期間Ｔｏｎは、走査期間Ｔｓと画素応答期間Ｔｒｅｓよりも後に設定されている。このため、第１フレーム期間においてバックライト１２が点灯する時点で、各行の画素回路２０の透過率ＴＲ１〜ＴＲｎは既に白に対応したレベルに到達している。したがって、第１フレーム期間のバックライト点灯期間Ｔｏｎにおいて、各行の画素回路２０の輝度ＬＵ１〜ＬＵｎは、いずれも白に対応したレベルになる。
【００７０】
第２〜第４フレーム期間では、画素回路２０に対するデータ電圧の書き込みは行われない。このため、各行の画素回路２０の透過率ＴＲ１〜ＴＲｎは、白に対応したレベルから変化しない。したがって、第２〜第４フレーム期間のバックライト点灯期間Ｔｏｎでも、各行の画素回路２０の輝度ＬＵ１〜ＬＵｎはいずれも白に対応したレベルなる。
【００７１】
第５フレーム期間の走査期間Ｔｓでは、各行の画素回路２０に対して、白に対応した正極性のデータ電圧が順に書き込まれる。このとき、各行の画素回路２０の透過率ＴＲ１〜ＴＲｎは、書き込みの影響を受けて変動する。しかし、第５フレーム期間においてバックライト１２が点灯する時点で、各行の画素回路２０の透過率ＴＲ１〜ＴＲｎは既に白に対応したレベルに戻っている。したがって、第５フレーム期間のバックライト点灯期間Ｔｏｎにおいて、各行の画素回路２０の輝度ＬＵ１〜ＬＵｎは、いずれも白に対応したレベルになる。第２〜第４フレーム期間のバックライト点灯期間Ｔｏｎと同様に、第５〜第８フレーム期間のバックライト点灯期間Ｔｏｎでも、各行の画素回路２０の輝度ＬＵ１〜ＬＵｎはいずれも白に対応したレベルになる。
【００７２】
図５には、低周波駆動モードから動画モードに変化するときのタイミングが記載されている。図５において、液晶表示装置１０の動作モードは、第４フレーム期間までは低周波駆動モード、第５フレーム期間以降は動画モードである。第１および第５〜第８フレーム期間は走査フレーム期間であり、第２〜第４フレーム期間は休止フレーム期間である。
【００７３】
データ線Ｓｊには、第１〜第４フレーム期間では白に対応した負極性のデータ電圧が印加され、第５〜第８フレーム期間では黒に対応した正極性のデータ電圧、白に対応した負極性のデータ電圧、中間調に対応した正極性のデータ電圧、および、黒に対応した負極性のデータ電圧が順に印加される。液晶表示装置１０は、第４フレーム期間までは図４に示す場合と同様に動作する。
【００７４】
第５フレーム期間の走査期間Ｔｓでは、各行の画素回路２０に対して、黒に対応した正極性のデータ電圧が順に書き込まれる。これに伴い、各行の画素回路２０の透過率ＴＲ１〜ＴＲｎは、黒に対応したレベルに向けて変化する。第５フレーム期間でバックライト１２が点灯する時点で、各行の画素回路２０の透過率ＴＲ１〜ＴＲｎは既に黒に対応したレベルに到達している。したがって、第５フレーム期間のバックライト点灯期間Ｔｏｎにおいて、各行の画素回路２０の輝度ＬＵ１〜ＬＵｎは、いずれも黒に対応したレベルになる。なお、第５フレーム期間の走査期間Ｔｓでは、各行の画素回路２０の透過率ＴＲ１〜ＴＲｎに書き込みの影響は現れない。
【００７５】
第６〜第８フレーム期間の走査期間Ｔｓでは、各行の画素回路２０に対して、白に対応した負極性のデータ電圧、中間調に対応した正極性のデータ電圧、および、黒に対応した負極性のデータ電圧が順に書き込まれる。第６〜第８フレーム期間においてバックライト１２が点灯する時点で、各行の画素回路２０の透過率ＴＲ１〜ＴＲｎは、既に書き込まれたデータ電圧に対応したレベルに到達している。したがって、第６〜第８フレーム期間のバックライト点灯期間Ｔｏｎにおいて、各行の画素回路２０の輝度ＬＵ１〜ＬＵｎは、いずれも書き込まれたデータ電圧に対応したレベルになる。
【００７６】
図６は、図４に示すバックライト点灯期間Ｔ１１、Ｔ１２における表示画面を示す図である。図６に示すように、期間Ｔ１１では表示画面の全体が中間調になり、期間Ｔ１２では表示画面の全体が白になる。図７は、図５に示すバックライト点灯期間Ｔ２１〜Ｔ２５における表示画面を示す図である。図７に示すように、期間Ｔ２１では表示画面の全体が白になり、期間Ｔ２２では表示画面の全体が黒になり、期間Ｔ２３では表示画面の全体が白になり、期間Ｔ２４では表示画面の全体が中間調になり、期間Ｔ２５では表示画面の全体が黒になる。このように液晶表示装置１０は、前フレームと異なる画像を表示するときでも、動作モードが低周波駆動モードと動画モードの間で変化するときでも、前フレームの画像の影響を受けずに画像を表示する。
【００７７】
以下、比較例として、特許文献１に記載されたタイミングでバックライトを点灯させる液晶表示装置を考える。図８は、比較例に係る液晶表示装置のタイミングチャートである。図８には、中間調表示の後に白表示を行うときのタイミングが記載されている。
【００７８】
比較例に係る液晶表示装置では、フレーム期間Ｔｆは、走査期間Ｔｓと保持期間Ｔｈに分割される。バックライト点灯期間は、走査期間Ｔｓの開始直後と終了直後を含め、１フレーム期間に４回設定される。比較例に係る液晶表示装置では、バックライトが走査期間Ｔｓで点灯するので、画素回路にデータ電圧を書き込むことに起因する、フレクソ分極の影響によると考えられるフリッカーが発生する。図８では、バックライトが点灯する期間Ｔ３３において、ｎ行目の画素回路の透過率ＴＲｎには、フレクソ分極の影響によると考えられる変化が発生する（図８の破線Ａ１で囲んだ部分を参照）。このため、ｎ行目の画素回路の輝度ＬＵｎにも、期間Ｔ３３において変化が発生する（図８の破線Ｂ１で囲んだ部分を参照）。また、中間調表示から白表示に切り替わるタイミングにおいて、走査期間Ｔｓの終了直後に設定されたバックライト点灯期間（例えば、期間Ｔ３７）では、ｎ行目付近の画素回路の透過率は、まだ変化の途中にある（図８の破線Ａ２で囲んだ部分を参照）。このため、比較例に係る液晶表示装置では、表示画面の下部において、フリッカーと共に輝度むらが発生する（図８の破線Ｂ２で囲んだ部分を参照）。
【００７９】
また、走査期間Ｔｓの開始直後に設定されたバックライト点灯期間（例えば、期間Ｔ３６）では、１行目付近の画素回路の透過率は、まだ変化の途中にある。比較例に係る液晶表示装置では、図８に示すバックライト点灯期間Ｔ３５〜Ｔ３８における表示画面は、図９に示すようになる。図９に示すように、期間Ｔ３５では表示画面の全体が中間調になり、期間Ｔ３８では表示画面の全体が白になる。しかし、期間Ｔ３６では、表示画面の上部だけが白くなり、表示画面の残りの部分は中間調のままである。期間Ｔ３７では、表示画面の上半分は白くなり、表示画面の下半分は中間調と白の間の色になる。このように比較例に係る液晶表示装置は、前フレームと異なる画像を表示するときに、前フレームの画像の影響を受けた画像を表示する。
【００８０】
これに対して、本実施形態に係る液晶表示装置１０では、バックライト１２は走査期間Ｔｓでは消灯する。したがって、液晶表示装置１０によれば、画素回路２０にデータ電圧を書き込むことに起因する、フレクソ分極の影響によると考えられるフリッカーを防止することができる。また、バックライト１２は、走査期間Ｔｓの直後に設定された画素応答期間Ｔｒｅｓでも消灯する。このため、バックライト１２が点灯する時点で、画素回路２０の透過率は、書き込まれたデータ電圧に対応したレベルに既に到達している。したがって、液晶表示装置１０によれば、前フレームの画像の影響を受けずに画像を表示することができる。
【００８１】
以上に示すように、本実施形態に係る液晶表示装置１０は、走査フレーム期間と休止フレーム期間とを有し、２次元状に配置された複数の画素回路２０を含む表示パネル（液晶パネル１１）と、表示パネルの背面に光を照射するバックライト１２と、走査フレーム期間内に設定された走査期間Ｔｓにおいて、画素回路２０に対して映像信号ＶＳ２に応じた電圧（データ電圧）を書き込むパネル駆動回路（走査線駆動回路１５とデータ線駆動回路１６）と、走査フレーム期間内と休止フレーム期間内とに設定されたバックライト点灯期間Ｔｏｎにおいてバックライト１２を点灯させ、バックライト点灯期間Ｔｏｎ以外においてバックライト１２を消灯させるバックライト駆動回路１７とを備えている。バックライト点灯期間Ｔｏｎは、走査フレーム期間において、走査期間Ｔｓよりも後に設定されている。バックライト１２は、走査フレーム期間において、走査期間Ｔｓでは消灯し、走査期間Ｔｓよりも後のバックライト点灯期間Ｔｏｎでは点灯する。このように画素回路２０に電圧を書き込むときにバックライト１２を消灯させることにより、画素回路２０に電圧を書き込むことに起因する、フレクソ分極の影響によると考えられるフリッカーを防止することができる。
【００８２】
また、バックライト点灯期間Ｔｏｎは、走査フレーム期間において、走査期間Ｔｓの終了時から画素回路２０の最長応答時間が経過した時点よりも後に設定されている。バックライト１２は、走査フレーム期間において、走査期間Ｔｓの終了後も画素回路２０の応答が完了するまで引き続き消灯する。このように画素回路２０に電圧を書き込んだ後も、画素回路２０の応答が完了するまでバックライト１２を消灯させることにより、前フレームの画像の影響を受けずに画像を表示することができる。
【００８３】
また、バックライト駆動回路１７は、臨界フリッカー周波数Ｆｃよりも高い周波数でバックライト１２を点灯および消灯させる。バックライト１２は、臨界フリッカー周波数Ｆｃよりも高い周波数で点灯および消灯する。したがって、バックライト１２の点滅に起因するフリッカーを防止することができる。
【００８４】
また、液晶表示装置１０は、重負荷時に電源変換効率が高い重負荷モードと、軽負荷時に電源変換効率が高い軽負荷モードとを有し、パネル駆動回路に電源電圧ＶＰＷ２、ＶＰＷ３を供給する電源回路１４を備えている。電源回路１４は、走査期間Ｔｓでは重負荷モードで動作し、バックライト点灯期間Ｔｏｎでは軽負荷モードで動作する。このようにパネル駆動回路の動作状況に応じて電源回路１４の動作モードを切り替えることにより、液晶表示装置１０の消費電力を削減することができる。また、電源回路１４が重負荷モードで動作する期間とバックライト１２の点灯期間とが重ならないので、ピーク電流を抑制することができる。したがって、電源回路１４とバックライト駆動回路１７に接続されるシステム電源回路６を小型化し、システム電源回路６に接続されるバッテリー５の劣化を防止することができる。
【００８５】
また、電源回路１４は、走査期間Ｔｓが終了して所定時間経過後からバックライト点灯期間Ｔｏｎが開始するまでの期間では軽負荷モードで動作する。このように走査フレーム期間において、走査期間Ｔｓの終了からバックライト点灯期間Ｔｏｎまでの期間で電源回路１４が軽負荷モードで動作することにより、液晶表示装置１０の消費電力をさらに削減することができる。特に、走査フレーム期間だけが現れる動画モードでも、電源回路１４が１フレーム期間内の所定の期間で軽負荷モードで動作するので、動画モードでは電源回路が常に重負荷モードで動作する表示装置と比べて、消費電力を削減することができる。
【００８６】
また、液晶表示装置１０は、走査フレーム期間だけが現れる動画モードと、走査フレーム期間と休止フレーム期間が混在して現れる低周波駆動モードとを有する。したがって、画像の変化が大きいときには動画モードで動作し、画像の変化が小さいときには低周波駆動モードで動作する表示装置において、フレクソ分極の影響によると考えられるフリッカーを抑制し、前フレームの画像の影響を受けずに画像を表示することができる。
【００８７】
また、液晶パネル１１として、フレクソ分極が発生しやすい横電界方式の液晶パネルを用いた場合には、フレクソ分極の影響によると考えられるフリッカーを抑制し、前フレームの画像の影響を受けずに画像を表示できるという効果が顕著になる。
【００８８】
また、液晶パネル１１が、それぞれがトランジスタ（ＴＦＴ２１）を含む複数の画素回路２０を含み、トランジスタが、インジウム、ガリウム、および、亜鉛を含む酸化物半導体を用いて形成された半導体層を有する場合には、トランジスタのリーク電流によるフリッカーを抑制することができる。
【００８９】
なお、以上の説明では、共通電極２３には固定電圧が印加されることとしたが、本発明は、共通電極に印加する電圧の極性をフレーム期間ごとに反転させる液晶表示装置や、共通電極に印加する電圧の歪みを補正するオペアンプ・フィードバック方式を採用した液晶表示装置にも適用することができる。また、本発明は、バックライトを備えた、液晶表示装置以外の表示装置にも適用することができる。
【符号の説明】
【００９０】
１０…液晶表示装置
１１…液晶パネル
１２…バックライト
１３…表示制御回路
１４…電源回路
１５…走査線駆動回路
１６…データ線駆動回路
１７…バックライト駆動回路
２０…画素回路
２１…ＴＦＴ
２２…液晶容量
２３…共通電極
【図１】
2016133519.tif 000003
【図２】
2016133519.tif 000004
【図３】
2016133519.tif 000005
【図４】
2016133519.tif 000006
【図５】
2016133519.tif 000007
【図６】
2016133519.tif 000008
【図７】
2016133519.tif 000009
【図８】
2016133519.tif 000010
【図９】
2016133519.tif 000011
【図１０】
2016133519.tif 000012